(57)【特許請求の範囲】
【請求項１】
座を、座インナーシェルの上面にクッションが配置された構造としており、前記クッションの前部及び座インナーシェルの前部に、当該前部を下向きに巻き込み可能とするための変形許容部を形成しており、これら座インナーシェル及びクッションの前部を下向きに巻き込むことで座の前後長さが短くなる構成であって、
前記クッションの変形許容部は、下向きに開口した左右横長の溝条を前後に複数条形成することで構成されている一方、前記座インナーシェルの変形許容部は、左右横長のスリットを前後に複数条形成することで構成されており、前記クッションの溝条と座インナーシェルのスリットとを平面視で非平行にすることにより、前記クッションが座インナーシェルのスリットに嵌まり込むことを阻止している、
椅子。
【請求項２】
座を、座インナーシェルの上面にクッションが配置された構造としており、前記クッションの前部及び座インナーシェルの前部に、当該前部を下向きに巻き込み可能とするための変形許容部を形成しており、これら座インナーシェル及びクッションの前部を下向きに巻き込むことで座の前後長さが短くなる構成であって、
前記クッションの変形許容部は、下向きに開口した左右横長の溝条を前後に複数条形成することで構成されている一方、前記座インナーシェルの変形許容部には、左右横長のスリットと左右横長の支持バー部とが前後方向に交互に並んで複数条ずつ形成されていて、前記クッションにおける隣り合った溝条の間の部位が座インナーシェルの支持バー部に載っており、かつ、前記支持バー部は、上から下に向けて前後幅が小さくなる側面視逆台形に形成されている、
椅子。
【請求項３】
座を、座インナーシェルの上面にクッションが配置された構造としており、前記クッションの前部及び座インナーシェルの前部に、当該前部を下向きに巻き込み可能とするための変形許容部を形成しており、これら座インナーシェル及びクッションの前部を下向きに巻き込むことで座の前後長さが短くなる構成であって、
前記クッションの変形許容部には、下向きに開口した左右横長の溝条が前後に複数条形成されていると共に、溝条が形成されていない厚肉部も存在していて、溝条の群が厚肉部を挟んだ左右両側に分かれて配置されており、
前記溝条の群によって変形が容易ならしめられている一方、前記厚肉部は、前記溝条が座インナーシェルに嵌まり込むことを阻止する役割を果たしている、
椅子。
【請求項４】
前記座インナーシェルは座アウターシェルで支持されており、前記座アウターシェルを、前記座インナーシェルのうち変形許容部を支持するスライド座アウターシェルと、前記スライド座アウターシェルが前後動自在に装着された固定座アウターシェルとに分離構成している、
請求項１〜３のうちのいずれかに記載した椅子。
【発明の詳細な説明】
【技術分野】
【０００１】
本願発明は、座の前後長さを調節できる椅子に関するものである。
【背景技術】
【０００２】
椅子において、座の前後長さ（前端の前後位置）を調節する技術として、例えば特許文献１〜３に開示されているように、座の前部を下側に巻き込む方式が提案されている。これらの従来技術では、座の前部を変形許容部と成して、変形許容部の前端を左右横長のフロントバーに固定し、フロントバーを前後動させることで座の前部を巻き込んだり伸ばしたりしている。
【０００３】
このうち特許文献１では、座はクッションを可撓性のベルトに載せた構造になっており、クッションは単純な平板状態になっている。他方、特許文献２では、座は撓み変形可能なシート材を備えており、シート材に、前後長手のスリットを多数条並列配置しており、スリット群の存在によって変形を容易ならしめている。更に、特許文献３では、クッションのうち巻き込み変形される部分は伸びた状態で支持されておらず、単にクッションの弾性変形を利用して巻き込んでいる。
【先行技術文献】
【特許文献】
【０００４】
【特許文献１】特公平０７−７７５６７号公報
【特許文献２】特表２０１０−５１６４３３号公報
【特許文献３】実用新案登録第３０７６８６２号公報
【発明の概要】
【発明が解決しようとする課題】
【０００５】
さて、クッションは使用者に高い座り心地を与えるためのものであり、高いフィット性・クッション性を確保するためにある程度の厚さが必要である。しかるに、各特許文献のようにクッションを単純に巻き込む形態では、クッションの厚さが厚くなると巻き込みの曲率半径は大きくならざるを得ず、すると、座の前部の厚さが大きくなって体裁が悪くなるおそれがあると共に、巻き込み操作に大きな力が必要になる問題が生じる。
【０００６】
本願発明はこのような現状に鑑み成されたものであり、クッションに必要な厚さを確保しつつ座の前部が過度に厚くなることを防止し、併せて、スムースな巻き込みや、着座者の大腿部の支持機能の確保も図ったものである。
【課題を解決するための手段】
【０００７】
請求項１の発明に係る椅子は、座を、座インナーシェルの上面にクッションが配置された構造としており、前記クッションの前部及び座インナーシェルの前部に、当該前部を下向きに巻き込み可能とするための変形許容部を形成しており、これら座インナーシェル及びクッションの前部を下向きに巻き込むことで座の前後長さが短くなる、という基本構成であって、
前記クッションの変形許容部は、下向きに開口した左右横長の溝条を前後に複数条形成することで構成されている一方、前記座インナーシェルの変形許容部は、左右横長のスリットを前後に複数条形成することで構成されており、前記クッションの溝条と座インナーシェルのスリットとを平面視で非平行にすることにより、前記クッションが座インナーシェルのスリットに嵌まり込むことを阻止している。
【０００８】
請求項２の発明は、請求項１と同じ基本構成において、
前記クッションの変形許容部は、下向きに開口した左右横長の溝条を前後に複数条形成することで構成されている一方、前記座インナーシェルの変形許容部には、左右横長のスリットと左右横長の支持バー部とが前後方向に交互に並んで複数条ずつ形成されていて、前記クッションにおける隣り合った溝条の間の部位が座インナーシェルの支持バー部に載っており、かつ、前記支持バー部は、上から下に向けて前後幅が小さくなる側面視逆台形に形成されている。
【０００９】
請求項３の発明は、請求項１と同じ基本構成において、
前記クッションの変形許容部には、下向きに開口した左右横長の溝条が前後に複数条形成されていると共に、溝条が形成されていない厚肉部も存在していて、溝条の群が厚肉部を挟んだ左右両側に分かれて配置されており、
前記溝条の群によって変形が容易ならしめられている一方、前記厚肉部は、前記溝条が座インナーシェルに嵌まり込むことを阻止する役割を果たしている。
また、請求項４の発明は、請求項１〜３のうちのいずれかにおいて、前記座インナーシェルは座アウターシェルで支持されており、前記座アウターシェルを、前記座インナーシェルのうち変形許容部を支持するスライド座アウターシェルと、前記スライド座アウターシェルが前後動自在に装着された固定座アウターシェルとに分離構成している。
【発明の効果】
【００１０】
本願各発明では、クッションは、溝条を閉じるように変形させることで下向きに巻き込まれるため、コンパクトに巻き込むことができる。この場合、クッションの変形許容部が座インナーシェルに上から載っているため、座インナーシェルとクッションとが噛み合うことはなくて、巻き込み操作（座の奥行きを小さくする操作）を確実かつスムースに行える。
【００１１】
また、例えば特許文献１ではクッションの前部は、フロントバーを支点として、フロントバーの下側に引き込まねばならず、このため構造が複雑化するが、本願各発明では座インナーシェルもクッションと一緒に巻き込まれるため、座インナーシェルの前端を後ろに引っ張るだけで、当該座インナーシェルとクッションとの巻き込みが行われるのであり、このため構造を簡単化できる。
【００１２】
座インナーシェルの前部に変形許容部を設ける手段は様々な構造を採用できるが、請求項１のように横長のスリットを設ける構成を採用すると、簡単な構造で的確に巻き込むことができる。しかも、隣り合ったスリットの間に位置した支持バー部がクッションの突条に載っているため、クッションの巻き込みが阻害されることもない。この場合、請求項１のように溝条とスリットとを非平行に設定すると、例えば着座者の体圧等で突条や支持バー部が前後に多少ずれても、溝条が支持バー部に落ち込むことはなくて、身体を安定した状態に支持できると共に、座の巻き込みの容易性も確実化できる。
【００１３】
請求項４の構成を採用すると、座インナーシェルのうち巻き込み変形する前部がスライド式座アウターシェルで支持されているため、着座した人の大腿部を的確に支持できる利点がある。
【図面の簡単な説明】
【００１４】
【図１】実施形態に係る椅子の外観図で、（Ａ）は正面図、（Ｂ）は側面図である。
【図２】ベース及び背フレームの斜視図である。
【図３】ベースの周辺部の分離斜視図である。
【図４】座と座アウターシェルとの分離斜視図である。
【図５】座の分離斜視図である。
【図６】（Ａ）は座インナーシェルの前部の底面図、（Ｂ）は座インナーシェルの前部を上から見た斜視図である。
【図７】座を中央よりも少し左右にずれた部位で切断した側面図である。
【図８】巻き込んだ状態での要部断面図である。
【図９】（Ａ）は座アウターシェル及び奥行き調節レバー装置の分離斜視図（スライド式アウターシェル１１はひっくり返して表示している）、（Ｂ）は固定アウターシェル１０の部分拡大斜視図である。
【図１０】座インナーシェルと座アウターシェルとの分離斜視図である。
【図１１】座インナーシェルとスライド式座アウターシェルとの分離斜視図である。
【図１２】（Ａ）は固定式座アウターシェルをひっくり返した状態での斜視図、（Ｂ）は中間金具の斜視図、（Ｃ）（Ｄ）は（Ａ）の部分拡大図である。
【発明を実施するための形態】
【００１５】
次に、本願発明の実施形態を図面に基づいて説明する。以下の説明では方向を特定するため「前後」「左右」の文言を使用するが、この前後左右の文言は、着座した人から見た状態を基準にしている。正面視方向は着座した人と対峙した方向であり、従って、正面視での左右と着座した人から見た左右とは逆になる。
【００１６】
(1).椅子の概略
まず、椅子を概要を、主として図１〜図４に基づいて説明する。本実施形態は、事務用等に多用されている回転椅子に適用しており、椅子は、脚支柱１やキャッタを有する脚装置２と、脚支柱１の上端に固定したベース３と、ベース３の上に配置した座４と、着座した人がもたれ掛かり得る背もたれ５とを有している。ベース３は、上向きに開口した箱状に形成されている。
【００１７】
例えば図３に示すように、ベース３の上に金属板製の中間金具６が配置されており、この中間金具６に、図４に示す樹脂製の座アウターシェル（座受け部材）７が取り付けられている。なお、中間金具６を使用せずに、座アウターシェル７をベース２に連結することも可能である。
【００１８】
図４に示すように、座４は、樹脂製の座インナーシェル（座板）８と、その上面に重ね配置した座クッション材９とを有しており、座クッション材９は、クロス等の表皮材（図示せず）で上から覆われている。座アウターシェル７は、中間金具５に固定された固定アウターシェル１０と、その手前に突出したスライド式アウターシェル１１との２つの部材で構成されており、スライド式アウターシェル１１は、固定アウターシェル１０に前後動自在に取り付けられている。
【００１９】
座インナーシェル８のうち前側寄り部位は、側面視で下向きに容易に曲がり変形する変形許容部８ｃになっており、座インナーシェル８の前端がスライド式アウターシェル１１の前端部に連結されている。このため、スライド式アウターシェル１１を前後スライドさせると、座インナーシェル８の前部８ｄが前向きに伸びたり下向きに巻き込まれたりする。これにより、座４の前後長さ（すなわち座４の奥行き）を調節できる。
【００２０】
図１，２に示すように、ベース３には背フレーム１２が後傾動自在に連結されており、これに背もたれ５を取り付けている。背フレーム１２は、ベース３に連結された前部背フレーム１３と、背もたれ５が取り付けられた後部背フレーム１４とに分離構成されており、両者は互いに嵌合すると共にねじで固定されている。前部背フレーム１３は、ベース２の外側位置で前向きに延びる前向きアーム部１３ａを有しており、左右アーム部１３ａの前端部が、左右横長の第１軸１６でベース３に連結されている。従って、背もたれ５は、第１軸１６の軸心回りに傾動する。
【００２１】
本実施形態の椅子は、背もたれ５の後傾に連動して座４が後退しつつ後傾するシンクロタイプの椅子であり、そこで、中間金具６の前部をベース３に対して前後動自在に連結すると共に、中間金具６の後部を、前部背フレーム１３に上向き突設したブラケット部１７に左右横長の第２軸１８で連結している。
【００２２】
中間金具６の前部をベース３に連結する手段としては、中間金具６に左右一対のスライダ１９を取り付ける一方、ベース３には支持金具２０を介して左右のスライダ受け２１を固定し、スライダ１９を、スライダ受け２１に前後動可能で上下抜け不能に装着している。ベース３の内部には、背もたれ５の後傾動を弾性的に支持する反力調節装置や、背もたれ５の後傾角度を調節するためのガスシリンダ２２等の部材群が配置されているが、本願発明との直接の関係はないので説明は省略する。
【００２３】
(2).座の構成
次に、主として図５〜図８を参照して座４を説明する。座４を構成する座インナーシェル８はポリプロピレン等の樹脂を材料にした成形品であり、例えば図５に示すように、着座者の体圧が強く作用するメイン支持部８ａと、メイン支持部８ａの後ろに位置したリア支持部８ｂと、メイン支持部８ａの手前に位置したフロント支持部８ｄとで構成されており、フロント支持部８ｄに既述の変形許容部８ｃを設けている。大雑把には、メイン支持部８ａは前後長さのうちの半分弱を占め、リア支持部８ｂとフロント支持部８ｄとは１／４強程度の範囲を占めている。
【００２４】
座インナーシェル８は、正面視では上向き凹状に緩く湾曲しており、縦断側面視では、後ろに行くにしたがって高さが高くなるように緩く傾斜している。また、リア支持部８ｂの上面には、剛性を確保するため、縦横に延びるリブの群を上向きに突設している。
【００２５】
座インナーシェル８のメイン支持部８ａには、多数のスリット２４を形成している。このスリット２４は、左右中間部に位置して前後に長いセンタースリット、その外側に形成された平面視弧状の中間スリット、中間スリットの外側に位置して前後方向に長く延びるサイドスリットの群で構成されている。かつ、メイン支持部８ａとリア支持部８ｂとは、左右側部のみが連結されていて、両者の間には左右横長の抜き溝２７が形成されている。このため、メイン支持部８ａは、着座者の体圧で下向きに沈み変形することが許容されている。
【００２６】
例えば図６，７に示すように、座インナーシェル８のフロント支持部８ｄのうちその前端部８ｅを除いた部位には、４列で横長のフロントスリット２８が形成されており、隣り合ったフロントスリット２８の間の部位は、左右横長の支持バー部２９になっている。従って、左右横長のフロントスリット２８と同じく左右横長の支持バー部２９とが、前後に交互に並んでいる。そして、これらフロントスリット２８の群の存在により、フロント支持部８ｄを、図７のように側面視で直線状に延びた姿勢から、図８のように下向きに巻き込まれた姿勢に変形させ得る。
【００２７】
前後に隣り合った支持バー部２９の左右両端の相互間、及び、前端に位置した支持バー部２９の左右両端部と前端部８ｅの左右両端部、並びに、後端に位置した支持バー部２９の左右両端部とメイン支持部８ａの左右両端部とは、側面視で上向きに突出した山形のブリッジ部２０で連結されている。ブリッジ部２０は支持バー部２９や前端部８ｅの上面より上方に突出している。また、ブリッジ部２０は板を湾曲させた形態であり、従って、蛇腹が縮むように潰れ変形する。
【００２８】
支持バー部２９は上向きに開口した台形状の断面形状を成しており、内部には補強リブ３１を適宜間隔で多数形成している。従って、支持バー部２９自体は、高い支持機能を持っている。前端部８ｅには多数の補強リブ３２を設けている。従って、前端部８ｅそのものは高い剛性を保持している。
【００２９】
図５，図７に示すように、クッション９のうち座インナーシェル８の変形許容部８ｃに重なる箇所には、前後に並んだ５条の溝条３３を形成しており、これにより、クッション９の前部９ａに変形許容部９ｂを形成している。溝条３３の存在により、前後に隣り合った溝条３３の間は突条３４になっている。溝条３３は下に行くに従って溝幅が少しずつ広がる略逆Ｖ型の形態を成しており、従って、突条３４の断面形状は、下方に向かって幅が少しずつ小さくなる逆台形になっている。もとより、溝条３３を角形やＵ型とすることも可能である。
【００３０】
図５から理解できるように、溝条３３の群はクッション９のうち左右中間部を挟んだ左右両側に設けている。このため、クッション９の前部のうち左右中間部は、溝条３３が存在しない厚肉部３５になっている。溝条３３は５条存在するが、平面視では左右横長の線に対して僅かの角度で傾斜している。正確には、各溝条３３，突条３４は、クッション９の中心線３６から離れるに従って手前にずれるように僅かの角度で傾斜している。他方、支持バー部２９は、左右横長の線（平面視で中心線３６と直交する線）と平行に延びている。従って、突条３４は常に支持バー部２９に載った状態で保持されていて、着座者の体圧によって溝状３３が支持バー部２９に嵌まり込むことを防止できる。
【００３１】
更に、各溝条３３及び突条３４が平面視長方形の変形許容部９ａのエリアに収まるように、最前列の溝条３３は、中間の溝条３３（３３ａ）に比べて長さが半分程度しかなくて中心線３６に寄って配置されており、最後列の溝条３３（３３ｂ）は、中間の溝条３３に比べて長さが半分程度しかなくて中心線３６から遠い位置に配置されている。なお、溝条３３は全部で５条あるが、図７と図８とは切断位置が左右にずれているため、溝条３３は４条ずつしか表示されない。
【００３２】
なお、クッション９に厚肉部３５を設けずに、溝条３３がクッション９の左右両端近傍まで一連に延びた状態に形成したり、逆に、厚肉部３５を左右に複数本設けて、溝条３３を左右３つ以上に分断したりすることも可能である。
【００３３】
そして、図７に示すように、クッション９の突条３４は座インナーシェル８の支持バー部２９に上から載っているが、厚肉部３５が存在することと、突条３４が平面視で中心線３６と直交した線に対して傾斜していることとにより、突条３４が支持バー部２９に載った状態が確実に保持されており、突条３４がフロントスリット２８に嵌まり込むことはない。従って、図８に示すように、スライド式アウターシェル１１を後退させて座インナーシェル８の前端部８ｅを後ろに引くと、座インナーシェル８及びクッション９は、互いに噛み込むことなく一緒に下向きに巻き込まれる。すなわち、座４の前部の巻き込みを支障なく行える。
【００３４】
図５に示すように、クッション９の前部下面のうち溝条３３及び突条３４の群の左右両側は、座インナーシェル８のブリッジ部２０が嵌まるサイド凹所３７になっている。見方を変えて述べると、突条３４の左右端部を切除することにより、ブリッジ部２０の縮み変形を許容するサイド凹所３７を形成している。従って、サイド凹所３７は溝条３３と連通している。ブリッジ部２０は、例えば左右中間部にも設けることが可能であるが、その場合は、クッション９の左右中間部にブリッジ部逃がし用の凹所を形成したらよい。
【００３５】
(3).座アウターシェル
次に、主として図９を参照して座アウターシェル７の構造を説明する。座アウターシェル７を構成する固定式アウターシェル１０とスライド式アウターシェル１１とは、ポリプロピレン等の樹脂を素材にした成形品である。図４や図７から理解できるように、固定式アウターシェル１０の前端は、座インナーシェル８における変形許容部８ｃの後部まで延びている（なお、図８では、座インナーシェル８におけるメイン支持部８ａのスリットは省略している。）。すなわち、固定式アウターシェル１０は、平面視で座インナーシェル８のメイン支持部８ａ及びリア支持部８ｂの全体に重なると共に、座インナーシェル８における変形許容部８ｃ（フロント支持部８ｄ）の後部に部分的に重なる前後長さになっている。
【００３６】
例えば図４や図９から把握できるように、固定式アウターシェル１０は、正面視で上向きに凹となるように緩く湾曲しており、後部は後ろ上がりに傾斜している。また、固定式アウターシェル１０の上面には、剛性を高めるために多数のリブ群を形成している。固定式アウターシェル１０には、座インナーシェル８のメイン支持部８ａが大きく沈み込むことを許容する抜き穴４０が形成されている。
【００３７】
例えば図９に示すように、スライド式アウターシェル１１は、固定式アウターシェル１０と略同じ左右横幅で面的な広がりを持つ基部１１ａと、基部１１ａの左右両側部から後ろ向きに突出したアーム部１１ｂとを有している。基部１１ａは、前進させ切った状態でも後部は常に固定式アウターシェル１０に上から重なっており、後退させ切ると、基部１０ａの殆ど全体が固定式アウターシェル１０に重なる。アーム部１１ｂは、常に固定式アウターシェル１０に上から重なっている。
【００３８】
スライド式アウターシェル１１の基部１１ａは、基本的には板状であり（格子状でもよい）、上面に補強用のリブが縦横に延びるように形成されている。そして、図６に示すように、固定式アウターシェル１０の前端寄り部位に、頭を有する正面視Ｔ型の第１ガイド突起４１を複数個突設する一方、スライド式アウターシェル１１の基部１１ａには、第１ガイド突起４１が抜け不能で前後動自在に嵌まる前後長手のガイド長穴４２を形成している。第１ガイド突起４１とガイド長穴３２とは、左右一対ずつ形成している。
【００３９】
図６から理解できるように、各ガイド長穴４２の後端部は、第１ガイド突起４１の頭が嵌脱する広幅部４２ａになっている。このため、広幅部４２ａの箇所からガイド長穴４２を第１ガイド突起４１に嵌め込み、次いでスライド式アウターシェル１１を後ろにスライドさせることにより、スライド式アウターシェル１１は抜け不能に保持される。
【００４０】
図９に示すように、固定アウターシェル１０のうち第１ガイド突起４１よりも内側には、前後に長いガイド板を有する正面視逆Ｌ型の第２ガイド突起４３を設けている一方、スライド式アウターシェル１１には、第２ガイド突起４３を下方から抱き込む抱持部４４を設けている。これら第２ガイド突起４３と抱持部４４との嵌まり合いによっても、スライド式アウターシェル１１は、固定アウターシェル１０に前後動自在で上向き抜け不能に保持されている。
【００４１】
更に図９に示すように、アーム部１１ｂの下面には、前後に長い上ガイドレール４５が形成されており、上ガイドレール４５の内側は上ガイド溝４６になっている一方、固定式アウターシェル１０には、上ガイドレール４５がスライド自在に嵌まる下ガイド溝４７と、上ガイド溝４６が嵌まる下ガイドレール４８とを形成している。これら上下のガイドレール４５，４８とガイド溝４６，４７との嵌まり合いにより、アーム部１１ｂは安定良くスムースに支持されている。更に図９に示すように、固定アウターシェル１０には、アーム部１１ｂの上向き離反を阻止するために、正面視逆Ｌ形の押さえ保持部４９を設けている。
【００４２】
スライド式アウターシェル１１の前後位置の調節は、図９（Ａ）に示すレバー装置５１によって行われる。詳細は省略するが、レバー装置５１は、スライド式アウターシェル１１の右側部に取り付けられており、前後方向にスライドするレバー５２と、レバー５３の前後スライド操作で前後動するストッパー５３とを有している。ストッパー５３の先端は下向きに突出したロック部５３ａになっており、固定アウターシェル１０には、ロック部５３ａが嵌脱する複数（３つ）のロック凹所５４を形成している。従って、座４の前後長さは３段階に調節される。
【００４３】
スライド式アウターシェル１１の右側部には、レバー装置５１を取り付けるための取り付け穴５５を設けている。なお、レバー装置５１のストッパー５３が後端のロック凹所５４に嵌まると、スライド式アウターシェル１１は前進動不能に保持される。従って、レバー装置５１を取り付けると、スライド式アウターシェル１１は前向き抜け不能に保持される。
【００４４】
(4).座インナーシェルと座アウターシェルとの関係
次に、座アウターシェル７と座インナーシェル８との関係を、図１１，１２に基づいて説明する。
【００４５】
図１０に示すように、固定式アウターシェル１０のうち、左右両側縁寄りの部位でかつ略後半部には、前後に長いレール状のサイドレール部５９を形成しており、このサイドレール部５９に、座インナーシェル８のメイン支持部８ａに設けた支持リブ６０が載っている。固定アウターシェル１０におけるサイドレール部５９の前後中途部に、外向きのサイド突起６１を設けている一方、座インナーシェル８におけるメイン支持部８ａのうち支持リブ６０の外側には、サイド突起６１を下から抱き込むサイドストッパー６２を形成している。これにより、座インナーシェル８は左右動不能及び上向き動不能に保持される。
【００４６】
図１０に示すように、固定式アウターシェル１０の左右後部に、上部を二股に形成した鉤形のリア係合爪６３を設けている一方、座インナーシェル８のリア支持部８ｂには、リア係合爪６３に上から嵌まり係合するリア係合穴６４を形成している。このリア係合穴４６は、座インナーシェル８を固定式アウターシェル１０に重ねてから後ろにずらすことで、リア係合爪４５に係合する（サイドストッパー６２とサイド突起６１との関係も同様である。）。
【００４７】
図１０に示すように、座インナーシェル８におけるリア支持部８ｂのうち左右中間部寄りには、左右一対のセンターストッパー６４を下向きに突設している一方、固定アウターシェル１０には、センターストッパー６４が嵌まる左右一対のセンター係合穴６５を設けている。これらセンターストッパー６４とセンター係合穴６５との嵌まり合いにより、座インナーシェル８は前進動不能に保持される。
【００４８】
スライド式アウターシェル１１と座インナーシェル８の連結構造は、図１１に示している。すなわち、座インナーシェル８における前端部８ｅのうち左右両端寄りの２カ所に、左右の下向きブラケット部片６５を介して支軸６６を一体に形成する一方、スライド式アウターシェル１１の前端には、支軸６６が上から嵌まる鉤状の軸受け部６７を一体に設けている。支軸６６と軸受け部６７とは相対回転し得る。
【００４９】
従って、図８から理解できるように、スライド式アウターシェル１１を後退させると、座インナーシェル８の前端部８ｅはその最前端が後ろに引かれ、これに伴って、座インナーシェル８とクッション９との変形許容部８ｃ，９ａが曲がり変形して、座インナーシェル８の前部８ｅとクッション９の前部とは下に巻き込まれる。これにより、座３の前端位置を変更して前後長さ（前端の奥行き）を調節できる。図８に示すように、支軸６７と軸受け部６８とは、スライド式アウターシェル１１の上面よりも下方に位置している。
【００５０】
さて、図８から容易に理解できるように、本実施形態では、支軸６７と軸受け部６８とは高さを変えることなく後退動し、この後退動に伴って、座インナーシェル８及びクッション９の前部８ｅ，９ａが下向きに巻き込まれる。従って、座４の前部をコンパクトに巻き込むことができる。そして、既述のとおり、クッション９の突条３４は座インナーシェル８の支持バー部２９に載っているため、クッション９の変形許容部９ｂと座インナーシェル８の変形許容部８ｃとが互いに噛み合うことはなくて、コンパクトに巻き込むことが支障なく実現される。
【００５１】
(5).中間金具と座アウターシェルとの関係
次に、中間金具６と座アウターシェル７との関係を、主として図１２に基づいて説明する。図１２に示すように、中間金具６は、平面視で手前が左右に膨らんだ略Ｔ形に近い形状であり、周囲には壁が形成されている。また、上面板６９には、平面視で略トックリ形のくり抜き穴７０が形成されている（このくり抜き穴７０は、図３に示したガスシリンダ２２を嵌め込むためのものである。）。
【００５２】
他方、固定アウターシェル１０には、中間金具６がすっぽり嵌まり込む下向き開口の凹所７１が形成されている。そして、固定アウターシェル１０のうち凹所７１を構成する前壁７２の左右端部の下端に、中間金具６の前面板７３の前コーナー部を下から包む左右一対のフロントストッパー７４を設け、更に、凹所７１の上底面のうち前部の左右中間部には、中間金具６の前面板７３を後ろ向き不能に保持するフロント係合爪７５を設けている。
【００５３】
更に、固定アウターシェル１０の前面板７３には、左右一対のフロント係合爪７６を設けている。図３に示すように、中間金具６の前板６２には、フロント係合爪７６が嵌まる左右一対のフロント係合穴７７を設けている。中間金具６の前部とフロントストッパー７４及びフロント係合爪７６の嵌め合い関係を、矢印Ａで示している。
【００５４】
更に、中間金具６における上面板６９の後端部に、くり抜き穴に向けて突出した左右３つのリア係合片７８を形成している一方、固定アウターシェル１０のうち抜き穴４０の後端縁の箇所には下向きの堰部７９を形成しており、堰部７９の後面板に、リア係合片７８が後ろから嵌まる左右３つのリア係合穴８０を設けている。リア係合片７８とリア係合穴８０との嵌め合い関係を、矢印Ｂで示している。
【００５５】
固定アウターシェル１０は、所定の位置よりも少し手前にずらした状態で中間金具６に重ね、次いで、中間金具６に下に押し付けながら後ろに押すという手順により、中間金具６にセットされる。この取り付けの過程で、フロント係合爪７５は、弾性に抗していったん上向きに逃げ移動してから元に戻り、すると、固定アウターシェル１０は、前向き移動不能及び上向き抜け不能に保持される。
【００５６】
(6).その他
本願発明は、上記の実施形態の他にも様々に具体化できる。例えば、座インナーシェルの形態は必要に応じて任意に設定できる。座インナーシェルは、固定部と変形許容部とを別体に構成することも可能である。また、座インナーシェルを支持する部材は必ずしも座アウターシェルである必要はなく、例えば、フレーム構造の支持部材とすることも可能である。座インナーシェルに変形許容部を設ける手段としては、スリットを形成することに代えて、薄肉のヒンジ部を採用することも可能である。また、請求項から外れるが、上記した構成は高さを変更できる背もたれに適用することも可能である。
【産業上の利用可能性】
【００５７】
本願発明は、椅子に具体化することができる。従って、産業上利用できる。
【符号の説明】
【００５８】
３  座
７  座アウターシェル
８  座インナーシェル
８ａ  座インナーシェルのメイン支持部
８ｂ  座インナーシェルのリア支持部
８ｃ  座インナーシェルの変形許容部
８ｄ  座インナーシェルの前部
８ｅ  座インナーシェルの前端部
９  クッション
９ａ  前部
９ｂ  クッションの変形許容部
１０  固定アウターシェル
１１  スライドアウターシェル
２８  変形許容部を構成するフロントスリット
２９  支持バー部
３３  クッションの溝条
３４  クッションの突条
３５  厚肉部
３７  サイド凹所
６６  支軸
６７  軸受け部
【図１】
0005954962.tif 000002
【図２】
0005954962.tif 000003
【図３】
0005954962.tif 000004
【図４】
0005954962.tif 000005
【図５】
0005954962.tif 000006
【図６】
0005954962.tif 000007
【図７】
0005954962.tif 000008
【図８】
0005954962.tif 000009
【図９】
0005954962.tif 000010
【図１０】
0005954962.tif 000011
【図１１】
0005954962.tif 000012
【図１２】
0005954962.tif 000013